(57)【要約】【課題】反射部と透過部両方を有する半透明型ＬＣＤにおいて、透過モード時と反射モード時おのおのの状態に応じた最適な表示品位を提供することが可能であり、かつ、信頼性の高い製品を提供することである。【解決手段】反射部と透過部の両方を有する液晶パネルにおいて、反射モードと透過モードそれぞれのモードに合った最適駆動条件を切り替えて表示することを特徴としている。【選択図】        図１
2004272113.tif 000002
【特許請求の範囲】
【請求項１】
反射部と透過部の両方を有する液晶パネルにおいて、反射モードと透過モードそれぞれのモードに合った最適駆動条件を切り替えて表示することを特徴とする表示装置。
【請求項２】
反射部と透過部の両方を有する液晶パネルにおいて、反射モードと透過モードそれぞれのモードに合った最適駆動条件を切り替えて表示することを特徴とする駆動方式。
【請求項３】
反射部と透過部の両方を有する液晶パネルにおいて、反射モードと透過モードそれぞれのモードに合った最適駆動条件を切り替えられることを特徴とする駆動回路。
【請求項４】
反射部と透過部の両方を有する液晶パネルにおいて、外部に記憶素子を設け、反射モードと透過モードそれぞれのモードに合った最適駆動条件を切り替えられることを特徴とする表示装置。
【請求項５】
前記記憶素子がＥＥ−ＰＲＯＭである請求項４記載の表示装置。
【請求項６】
バックライトがＯＮ状態であるときには、透過モード時の最適な駆動条件になるように、ＤＣ／ＤＣコンバータの出力電圧、ＶＣＯＭ生成部の出力電圧、階調電圧生成部の出力電圧およびタイミング生成部の出力電圧の設定が変更され、バックライトがＯＦＦ状態であるときには、反射モード時の最適な駆動条件になるように、ＤＣ／ＤＣコンバータの出力電圧、ＶＣＯＭ生成部の出力電圧、階調電圧生成部の出力電圧およびタイミング生成部の出力電圧の設定が変更されてなる請求項１記載の表示装置。
【請求項７】
バックライトがＯＮ状態であるときには、透過モード時の最適な駆動条件になるように、ＤＣ／ＤＣコンバータの出力電圧、ＶＣＯＭ生成部の出力電圧、階調電圧生成部の出力電圧およびタイミング生成部の出力電圧の設定が変更され、バックライトがＯＦＦ状態であるときには、反射モード時の最適な駆動条件になるように、ＤＣ／ＤＣコンバータの出力電圧、ＶＣＯＭ生成部の出力電圧、階調電圧生成部の出力電圧およびタイミング生成部の出力電圧の設定を変更してなる請求項２記載の駆動方式。
【請求項８】
バックライトがＯＮ状態であるときには、透過モード時の最適な駆動条件になるように、ＤＣ／ＤＣコンバータの出力電圧、ＶＣＯＭ生成部の出力電圧、階調電圧生成部の出力電圧およびタイミング生成部の出力電圧の設定が変更され、バックライトがＯＦＦ状態であるときには、反射モード時の最適な駆動条件になるように、ＤＣ／ＤＣコンバータの出力電圧、ＶＣＯＭ生成部の出力電圧、階調電圧生成部の出力電圧およびタイミング生成部の出力電圧の設定が変更されてなる請求項３記載の駆動回路。
【発明の詳細な説明】
【０００１】
【発明の属する技術分野】
本発明は、フラットパネルディスプレイの分野に関する。さらに詳しくは、画素に反射部と透過部の両方を有する半透過型の液晶表示装置（以下、ＬＣＤ  （ｌｉｑｕｉｄ  ｃｒｙｓｔａｌ  ｄｉｓｐｌａｙ）という）における液晶駆動方法および液晶駆動装置に関する。
【０００２】
【従来の技術および発明が解決しようとする課題】
従来のＴＦＴ−ＬＣＤとして、透過光を利用して表示する機能と、反射光を利用して表示する機能とを併せもつ半透過型ＬＣＤが知られている（例えば、特許文献１参照。）。
【０００３】
図７に従来の一般的な半透過型ＬＣＤの液晶パネル断面構造図を示す。
【０００４】
図７において、液晶パネル３は、裏面に配置されたバックライト２から入射される光ＬＢを透過させる部分（すなわち、透過部）１９と、バックライト２から入射される光を透過させず、液晶パネル１の表面から入射された外光ＬＢを反射させる部分（すなわち、反射部）２０を有する。
【０００５】
一般的に外光が明るいときは、バックライト２を消すもしくは、輝度を暗くして、反射部で反射される光を利用して表示を行なう（以下、「反射モード」といいう）。
【０００６】
また、外光が暗いときは、バックライト２を点灯もしくは、輝度を明るくして、透過部に入射される光を利用して表示を行なう（以下、「透過モード」という）。
【０００７】
つぎに動作の概略を説明する。
【０００８】
図８に従来の一般的な携帯電話の表示部ブロック図を示す。
【０００９】
図８において、液晶モジュール１は、ＬＥＤなどの光源をもつ、バックライト２と、液晶パネル３および駆動回路４から構成される。液晶モジュール１を動作させるため、携帯電話などの本体側５には、表示情報や、駆動情報を供給するＣＰＵ６および駆動電圧を発生させる電源７を有する。
【００１０】
図９に、駆動回路４の内部ブロック図を示す。
【００１１】
駆動回路４は、ＣＰＵ６の命令により、電源７から電圧供給を受けると共に、ＣＰＵ６から駆動に必要な設定レジスタ８の設定データを受け取る。設定レジスタ８は、受け取ったデータ内容に基づいて、内部ＤＣ／ＤＣコンバータ９の出力電圧値、ＶＣＯＭ生成回路１０の出力電圧値、階調電圧生成回路１１の出力電力値、タイミング生成回路１２のタイミングなどを決定する。
【００１２】
その後、表示データが、ＣＰＵ６より入力され、表示データに基づいて先ほど設定された電圧値およびタイミングにより液晶パネル３に駆動電圧が供給される。
【００１３】
上記のような動作を行なう半透過型ＬＣＤにおいて、図７に示すように、反射部２０と透過部１９で、液晶層のギャップや、膜構成などが異なることにより、最適駆動条件が反射モード時と透過モード時で異なる。
【００１４】
すなわち、コントラストや、フリッカー、ヤキツキなどの表示状態が、反射モードと透過モードで異なる問題や、長時間使用時に、表示不良が発生するなど信頼性上の問題があった。
【００１５】
かかる問題を解決するために、外光の光量を検出することにより、反射モードと透過モードを選択して、バックライト輝度を調整するものがある（例えば、特許文献１参照。）。また、表示するフォントサイズを変更するものもある（例えば、特許文献２参照。）。いずれの場合も、反射モードと、透過モードでの表示品位の違いを改善する方策がみられるものの、基本的に視認性を向上させる手法であり、表示品位の改善にはならない。
【００１６】
また、駆動電圧を変えるものある（例えば、特許文献３参照。）が、主電源の出力電圧値のみを変化させる構成であり、階調電圧値などの複雑な電圧設定には対応していない。
【００１７】
本発明は、叙上の従来の問題を解消し、反射部と透過部両方を有する半透明型ＬＣＤにおいて、透過モード時と反射モード時おのおのの状態に応じた最適な表示品位を提供することが可能であり、かつ、信頼性の高い製品を提供することを目的とするものである。
【００１８】
【特許文献１】
特開２０００−１３１１３７号公報（第３−４頁、第２図）
【特許文献２】
特開平８−１４６９０３号公報（第２−３頁、第１図）
【特許文献３】
実開平６−３３１２９号公報（第５頁、第１図）
【００１９】
【課題を解決するための手段】
本発明は、反射部と透過部を共有するＬＣＤにおいて、反射モードと透過モードをそれぞれ検出する手段と、駆動条件をレジスタ設定により調整可能とする駆動回路を有し、おのおのの表示モードに応じた最適駆動条件を切り替えることにより、それぞれに表示モードで最適な表示品位を提供することを可能にする。
【００２０】
本発明によれば、バックライトがＯＮ状態であるときには、透過モード時の最適な駆動条件になるように、ＤＣ／ＤＣコンバータの出力電圧、ＶＣＯＭ生成部の出力電圧、階調電圧生成部の出力電圧およびタイミング生成部の出力電圧の設定が変更され、バックライトがＯＦＦ状態であるときには、反射モード時の最適な駆動条件になるように、ＤＣ／ＤＣコンバータの出力電圧、ＶＣＯＭ生成部の出力電圧、階調電圧生成部の出力電圧およびタイミング生成部の出力電圧の設定が変更されるため、反射部と透過部とを共有するＬＣＤにおいて、反射モード時と透過モード時それぞれに対応した最適駆動条件を設定することができ、反射モード、透過モードそれぞれに対応した最適な表示品位を提供することが可能となる液晶表示装置を提供することが可能となる。
【００２１】
【発明の実施の形態】
本発明の実施の形態を添付図面を参照しながら以下に詳細に説明する。
【００２２】
実施の形態１
図１は本発明の液晶表示装置（ＬＣＤ）の実施の形態１のＬＣＤの全体構成図であり、図２は実施の形態１の駆動回路の構成図である。図２において、参照符号ＣＯＮはＤ／Ａコンバータ、ＤＭは表示ＲＡＭ、ＧＤはゲートドライバ、ＬＳはレベルシフタを示す。
【００２３】
全体構成および駆動回路の構成は図６、図７の従来技術と同じである。
【００２４】
本実施の形態においては、バックライト２のＯＮ／ＯＦＦを制御しているＣＰＵ６の内部で、バックライト２の「ＯＮ」の状態であるか、バックライト２の「ＯＦＦ」の状態であるかにより、駆動回路４へ供給する設定レジスタの値をおのおの変更する。
【００２５】
バックライト２が「ＯＮ」状態であるときには透過モード時の最適な駆動条件になるように、ＤＣ／ＤＣコンバータ９の出力電圧、ＶＣＯＭ生成部１０の出力電圧、階調電圧生成部１１の出力電圧、タイミング生成部１２の出力電圧の設定を変更する。
【００２６】
また、バックライト２が「ＯＦＦ」状態であるときには反射モード時の最適な駆動条件になるように、ＤＣ／ＤＣコンバータ９の出力電圧、ＶＣＯＭ生成部１０の出力電圧、階調電圧生成部１１の出力電圧、タイミング生成部１２の出力電圧の設定を変更する。
【００２７】
実施の形態２
図３は実施の形態２の全体構成図、図４は実施の形態２の駆動回路の構成図である。
【００２８】
図３の参照符号１３は、フォトセンサーなどの光学センサーであり、バックライト２の「ＯＮ」状態と、「ＯＦＦ」の状態とを検出し、駆動回路４へ供給する。図４の参照符号ＣＯＮはＤ／Ａコンバータ、ＤＭは表示ＲＡＭ、ＧＤはゲートドライバ、ＬＳはレベルシフタ、ＳＤはソースドライバ、ＳＷは切替スイッチを示す。
【００２９】
図４に示すように、駆動回路４には、あらかじめ、透過モードの駆動条件を設定するレジスタ１４と、反射モードの駆動条件を設定するレジスタ１５の２種類のレジスタを保有しており、フォトセンサー１３からの状態命令により、透過モードと反射モードを判別し、おのおののレジスタ設定値を選択し、各最適駆動条件を設定する。
【００３０】
たとえば、バックライト２が「ＯＮ」のときは、フォトセンサー１３より、透過モードと判断し、レジスタ１４の内容を選択。レジスタ１４の内容により、ＤＣ／ＤＣコンバータ９、ＶＣＯＭ生成部  １０、階調電圧生成部１１、タイミング生成部１２の設定を行なう。
【００３１】
逆に、バックライト２が「ＯＦＦ」のときは、フォトセンサー１３により、反射モードと判断し、レジスタ１５の内容を選択。レジスタ１５の内容により、ＤＣ／ＤＣコンバータ９、ＶＣＯＭ生成部１０、階調電圧生成部１１、タイミング生成部１２の設定を行なう。
【００３２】
これにより、透過モード時と、反射モード時それぞれの場合において、最適な駆動条件が選択できるため表示品位を、大幅に改善することが可能である。
【００３３】
実施の形態３
図５は実施の形態３の全体構成図、図６は実の形態３の駆動回路の構成図である。図６において、参照符号ＤＭは表示ＲＡＭ、ＧＤはゲートドライバ、ＬＳはレベルシフタ、ＳＤはソースドライバを示す。
【００３４】
あらかじめ、外部に設けたＥＥ−ＰＲＯＭ２１などの記憶素子に、透過モード時の最適駆動条件のレジスタ設定値および、反射モード時の最適駆動条件のレジスタ設定値を記憶させておく。バックライト２のＯＮ／ＯＦＦを制御しているＣＰＵ６の内部で、バックライトの「ＯＮ」の状態と、バックライト２の「ＯＦＦ」の状態の情報を、ＥＥ−ＰＲＯＭ２１などの記憶素子へ供給し、その情報に応じて、駆動回路４の設定レジスタ８を、ＥＥ−ＰＲＯＭ２１などの記憶素子内の情報に書き換える。
【００３５】
駆動回路４は、設定レジスタ８の内容にしたがって、バックライト２が「ＯＮ」の状態になるように、すなわち透過モード時の最適な駆動時要件になるように、ＤＣ／ＤＣコンバータ９、ＶＣＯＭ生成回路１０、階調電圧生成回路１１、タイミング生成回路１２の設定を変更する。
【００３６】
また、バックライト２が「ＯＦＦ」の状態になるように、すなわち反射モード時の最適な駆動条件になるように、ＤＣ／ＤＣコンバータ９、ＶＣＯＭ生成部１０、階調電圧生成部１１、タイミング生成部路１２の設定を変更する。
【００３７】
これにより、透過モード時と、反射モード時それぞれの場合において、最適な駆動条件が選択できるため表示品位を、大幅に改善することができる。
【００３８】
【発明の効果】
以上、説明したように、本発明のよる液晶駆動方式によれば、反射部と透過部両方を有する半透明型ＬＣＤにおいて、透過モード時と反射モード時おのおのの状態に応じた、最適な駆動条件を選択できるため、表示品位を損なうことなく、最適な表示品位を提供することが可能であり、かつ、信頼性の高い製品を提供できる。
【図面の簡単な説明】
【図１】本発明の実施の形態１にかかる液晶駆動装置の全体構成図である。
【図２】本発明の実施の形態１にかかる液晶駆動回路の構成図である。
【図３】本発明の実施の形態２にかかる液晶駆動装置の全体構成図である。
【図４】本発明の実施の形態２にかかる液晶駆動回路の構成図である。
【図５】本発明の実施の形態３にかかる液晶駆動装置の全体構成図である。
【図６】本発明の実施の形態３にかかる液晶駆動回路の構成図である。
【図７】従来における液晶パネル断面図である。
【図８】従来における液晶駆動装置の全体構成図である。
【図９】従来における液晶駆動回路の構成図である。
【符号の説明】
１  液晶モジュール
２  バックライト
３  液晶パネル
４  駆動回路
５  携帯電話など本体
６  ＣＰＵ
７  電源
８  設定レジスタ
９  ＤＣ／ＤＣコンバータ
１０  ＶＣＯＭ生成部
１１  階調電圧生成部
１２  タイミング生成部
１３  フォトセンサー
１４  入力および設定レジスタ１
１５  設定レジスタ２
１６  ＴＦＴアレイ側ガラス基板
１７  カラーフィルター側ガラス基板
１８  液晶層
１９  反射部
２０  透過部
２１  記憶素子（ＥＥ−ＰＲＯＭ）
ＣＯＮ  Ｄ／Ａコンバータ
ＤＭ  表示ＲＡＭ
ＧＤ  ゲートドライバ
ＬＳ  レベルシフタ
ＳＤ  ソースドライバ
ＳＷ  切替スイッチ
【図１】
2004272113.tif 000003
【図２】
2004272113.tif 000004
【図３】
2004272113.tif 000005
【図４】
2004272113.tif 000006
【図５】
2004272113.tif 000007
【図６】
2004272113.tif 000008
【図７】
2004272113.tif 000009
【図８】
2004272113.tif 000010
【図９】
2004272113.tif 000011